(57)【要約】    【課題】  組付誤差や設置状態等の影響を受けずに、設計データや試験データ通りの球振分特性でパチンコ球を振り分けることができるようにする。    【解決手段】  可動テーブル２５の上面に、球振分転動部２６と設置角度検出センサ３７を設け、設置角度調整用のモータ３６で可動テーブル２５を回動して可動テーブル２５の傾斜角度を調整することで球振分転動部２６の設置角度を調整する構成とする。そして、設置角度検出センサ３７で検出した球振分転動部２６の設置角度が設計値（例えば、０°）に一致するように設置角度調整用のモータ３６を制御して球振分転動部２６の設置角度を修正する。これにより、組付誤差や設置状態等によって球振分転動部２６の設置角度が設計値に対してずれていても、球振分転動部２６の設置角度を自動的に設計値に修正することができ、設計データや試験データ通りの球振分特性でパチンコ球を振り分けることができる。    【選択図】  図１
2005296548.tif 000002
【特許請求の範囲】
【請求項１】
パチンコ球の流れ具合によって該パチンコ球の流下先が振り分けられる球振分流路を備えた遊技機において、
前記球振分流路の設置角度を調整する設置角度調整手段を備えていることを特徴とする遊技機。
【請求項２】
前記設置角度調整手段を駆動するアクチュエータと、
前記球振分流路の設置角度を検出する設置角度検出手段と、
前記設置角度検出手段で検出した設置角度に基づいて前記設置角度調整手段のアクチュエータを制御して前記球振分流路の設置角度を修正する設置角度修正制御手段と
を備えていることを特徴とする請求項１に記載の遊技機。
【請求項３】
前記設置角度調整手段を駆動するアクチュエータと、
前記球振分流路に流入したパチンコ球が特定の流下先に流下する確率（以下「特定確率」という）を検出する特定確率検出手段と、
前記特定確率検出手段で検出した特定確率に基づいて前記設置角度調整手段のアクチュエータを制御して前記球振分流路の設置角度を修正する設置角度修正制御手段と
を備えていることを特徴とする請求項１に記載の遊技機。
【請求項４】
パチンコ球の流れ具合によって該パチンコ球の流下先が振り分けられる球振分流路を備えた遊技機において、
前記球振分流路に流入したパチンコ球が特定の流下先に流下する確率（以下「特定確率」という）を調整する特定確率調整手段を備えていることを特徴とする遊技機。
【請求項５】
前記特定確率調整手段は、前記球振分流路に流入させるパチンコ球の流れ状態を調整することで前記特定確率を調整するように構成されていることを特徴とする請求項４に記載の遊技機。
【請求項６】
前記特定確率調整手段を駆動するアクチュエータと、
前記特定確率を検出する特定確率検出手段と、
前記特定確率検出手段で検出した特定確率に基づいて前記特定確率調整手段のアクチュエータを制御して前記特定確率を修正する特定確率修正制御手段と
を備えていることを特徴とする請求項４又は５に記載の遊技機。
【請求項７】
前記特定確率調整手段を駆動するアクチュエータと、
前記球振分流路の設置角度を検出する設置角度検出手段と、
前記設置角度検出手段で検出した設置角度に基づいて前記特定確率調整手段のアクチュエータを制御して前記特定確率を修正する特定確率修正制御手段と
を備えていることを特徴とする請求項４又は５に記載の遊技機。
【請求項８】
パチンコ球の流れ具合によって該パチンコ球の流下先が振り分けられる球振分流路を備えた遊技機の球振分装置において、
前記球振分流路の設置角度を調整する設置角度調整手段を備えていることを特徴とする遊技機の球振分装置。
【請求項９】
パチンコ球の流れ具合によって該パチンコ球の流下先が振り分けられる球振分流路を備えた遊技機の球振分装置において、
前記球振分流路に流入したパチンコ球が特定の流下先に流下する確率を調整する特定確率調整手段を備えていることを特徴とする遊技機の球振分装置。
【発明の詳細な説明】
【技術分野】
【０００１】
本発明は、パチンコ球の流下先が振り分けられる球振分流路を備えた遊技機及び球振分装置に関するものである。
【背景技術】
【０００２】
パチンコ機等の遊技機は、例えば、特許文献１（特開平７−１７１２４８号公報）に記載されているように、遊技盤にパチンコ球の流下先を振り分ける球振分装置を配置して、遊技性を高めるようにしたものがある。この球振分装置は、円形凹面状の球振分流路に複数の振分孔を形成し、この球振分流路に流入したパチンコ球が円形凹面上を旋回するときの流れ具合によってパチンコ球がいずれかの振分孔に落下して、パチンコ球の流下先が振り分けられるように構成されている。
【特許文献１】特開平７−１７１２４８号公報（第２頁等）
【発明の開示】
【発明が解決しようとする課題】
【０００３】
ところで、パチンコ機組立時における球振分装置や遊技盤の組付誤差、パチンコホールにおけるパチンコ機の設置状態等によって球振分装置の設置角度が変化する。球振分装置の設置角度が変化すると、球振分流路の設置角度（傾斜角度）が変化するため、球振分装置の球振分特性（例えばパチンコ球が特定の流下先に流下する確率）が変化してしまう。このため、従来の球振分装置は、組付誤差や設置状態等の影響を受けて、球振分特性がばらついてしまい、設計データや試験データ通りの球振分特性でパチンコ球を振り分けることができなくなるという欠点があった。
【０００４】
本発明は、このような事情を考慮してなされたものであり、従って本発明の目的は、組付誤差や設置状態等の影響を受けずに、設計データや試験データ通りの球振分特性でパチンコ球を振り分けることができるようにすることにある。
【課題を解決するための手段】
【０００５】
上記目的を達成するために、本発明の請求項１，８は、パチンコ球の流れ具合によって該パチンコ球の流下先が振り分けられる球振分流路を備えたものにおいて、球振分流路の設置角度を調整する設置角度調整手段を設けた構成としたものである。このようにすれば、遊技機がパチンコホール等に設置された段階で、組付誤差や設置状態等によって球振分流路の設置角度が設計値に対してずれていても、設置角度調整手段により球振分流路の設置角度を調整して設計値に修正することができる。これにより、組付誤差や設置状態等の影響を受けずに、設計データや試験データ通りの球振分特性でパチンコ球を振り分けることができる。また、設置角度調整手段により球振分流路の設置角度を変更して球振分特性を任意の特性に変更することもできる。
【０００６】
この場合、設置角度調整手段は、球振分流路の設置角度を手動で調整する構成としても良いが、請求項２のように、設置角度調整手段を駆動するアクチュエータと、球振分流路の設置角度を検出する設置角度検出手段とを設け、設置角度修正制御手段により設置角度検出手段で検出した設置角度に基づいて設置角度調整手段のアクチュエータを制御して球振分流路の設置角度を修正するようにしても良い。このようにすれば、球振分流路の設置角度を自動的に修正することができる。
【０００７】
また、球振分流路の設置角度によって、球振分流路に流入したパチンコ球が特定の流下先に流下する確率（以下「特定確率」という）が変化するため、特定確率は、球振分流路の設置角度の代用情報となる。この点に着目して、請求項３のように、特定確率を検出する特定確率検出手段を設け、特定確率検出手段で検出した特定確率に基づいて設置角度調整手段のアクチュエータを制御して球振分流路の設置角度を修正するようにしても良い。このようにすれば、球振分流路の設置角度を自動的に修正することができると共に、設置角度検出手段（球振分流路の設置角度を検出するセンサ等）を省略することができる。
【０００８】
また、請求項４，９のように、球振分流路に流入したパチンコ球が特定の流下先に流下する確率（以下「特定確率」という）を調整する特定確率調整手段を設けるようにしても良い。このようにすれば、組付誤差や設置状態等の影響を受けて特定確率が目標値に対してずれていても、特定確率調整手段により特定確率を調整して目標値に修正することができるため、組付誤差や設置状態等の影響を受けずに、特定確率を設計データや試験データ通りの確率にすることができる。また、特定確率調整手段により特定確率を任意の確率に変更することもできる。
【０００９】
例えば、請求項５のように、特定確率調整手段は、球振分流路に流入させるパチンコ球の流れ状態を調整することで特定確率を調整するように構成しても良い。球振分流路に流入させるパチンコ球の流れ状態（速度、方向等）を調整すれば、球振分流路内でのパチンコ球の流れ具合が変化するため、特定確率を調整することができる。
【００１０】
この場合、特定確率調整手段は、特定確率を手動で調整する構成としても良いが、請求項６のように、特定確率調整手段を駆動するアクチュエータと、特定確率を検出する特定確率検出手段とを設け、特定確率修正制御手段により特定確率検出手段で検出した特定確率に基づいて特定確率調整手段のアクチュエータを制御して特定確率を修正するようにしても良い。このようにすれば、特定確率を自動的に修正することができる。
【００１１】
また、球振分流路の設置角度は、特定確率の代用情報となるため、請求項７のように、球振分流路の設置角度を検出する設置角度検出手段を設け、設置角度検出手段で検出した設置角度に基づいて特定確率調整手段のアクチュエータを制御して特定確率を修正するようにしても良い。このようにすれば、特定確率を検出できない場合でも、特定確率を自動的に修正することができる。
【発明を実施するための最良の形態】
【００１２】
以下、本発明をパチンコ機の球振分装置に適用した２つの実施例１，２を説明する。
【実施例１】
【００１３】
本発明の実施例１を図１乃至図６に基づいて説明する。
図２及び図３に示すように、球振分装置の本体ケース１１の上部には、球流入口１２から流入したパチンコ球を流下させる球流下路１３が設けられ、この球流下路１３の下端に、球送出器１４が接続されている。この球送出器１４の上部には、球供給口１５が設けられ、この球供給口１５の下方に、球送出用の回転体１６が配置されている。
【００１４】
この回転体１６の外周部には、球供給口１５からパチンコ球を受け入れる凹部１７が形成され、回転体１６の外周面のうちの凹部１７以外の部分で球供給口１５のパチンコ球を受け支えるようになっている。球供給口１５には、球供給口１５で待機するパチンコ球を検出する近接スイッチ等の供給球検出センサ１８が配置されている。
【００１５】
回転体１６の後方には、回転体１６を駆動するモータ１９（アクチュエータ）が配置され、このモータ１９の回転力がギヤ機構２０を介して回転体１６に伝達されるようになっている。また、回転体１６には、停止位置検出用の円形リブ２１が一体的に回転可能に設けられ、この円形リブ２１に形成されたスリット２２（図２参照）が停止位置検出センサ２３によって検出される回転位置が、回転体１６の停止位置となる。この停止位置検出センサ２３は、発光素子（例えば発光ダイオード）と受光素子（例えばフォトトランジスタ）とからなる光センサで構成されている。
【００１６】
また、回転体１６の前方には、球送出流路２４が下方に延びるように設けられ、回転体１６が所定の回転位置まで回転したときに、回転体１６の凹部１７が球送出流路２４の入口に対向するようになっている。
【００１７】
球送出器１４の停止時には、回転体１６が停止位置で停止している。このとき、回転体１６の外周面のうちの凹部１７以外の部分が球供給口１５に対向してパチンコ球を受け支えて落下を阻止する。そして、パチンコ球を送り出す場合には、モータ１９で回転体１６を回転させる。これにより、凹部１７が球供給口１５に対向したときに、球供給口１５からパチンコ球を凹部１７に受け入れ、凹部１７が球送出流路２４の入口に対向したときに、凹部１７内のパチンコ球を球送出流路２４に排出する。
【００１８】
一方、図１及び図２に示すように、本体ケース１１の下部には、可動テーブル２５が配置され、この可動テーブル２５の上面に、円形凹面状の球振分転動部２６（球振分流路）が設けられている。この球振分転動部２６には、例えば１つの当り孔２７と２つ外れ孔２８，２９が同心円上に形成されている。各孔２７〜２９は、可動テーブル２５を貫通するように形成され、各孔２７〜２９の下方に、それぞれパチンコ球を検出する近接スイッチ等の落下球検出センサ３０〜３２が配置されている。
【００１９】
球送出器１４の球排出流路２４から排出されたパチンコ球は、円形の球振分転動部２６に対してほぼ接線方向に流入する。これにより、球振分転動部２６に流入したパチンコ球が円形凹面上を旋回し、そのときのパチンコ球の流れ具合によってパチンコ球がいずれかの孔２７〜２９に落下して、パチンコ球の流下先が振り分けられる。
【００２０】
また、可動テーブル２５は、一端側がギヤ機構３３の出力軸３４に固定されると共に、他端側が支持軸３５を介して本体ケース１１に支持されることで、回動可能に設けられている。ギヤ機構３３の側方には、可動テーブル２５を駆動するモータ３６（アクチュエータ）が配置され、このモータ３６の回転力がギヤ機構３３を介して可動テーブル２５に伝達されるようになっている。モータ３６で可動テーブル２５を回動して可動テーブル２５の傾斜角度を調整することで球振分転動部２６の設置角度を調整するようになっている。これら可動テーブル２５、ギヤ機構３３、モータ３６等から設置角度調整手段が構成されている。
【００２１】
また、可動テーブル２５には、設置角度検出センサ３７（設置角度検出手段）が一体的に回動可能に設けられている。この設置角度検出センサ３７は、重力方向に対する傾斜を検出する傾斜センサ等で構成されている。この設置角度検出センサ３７で可動テーブル２５の傾斜角度を検出することで球振分転動部２６の設置角度（例えば水平方向に対する傾斜角度）を検出するようになっている。
【００２２】
図４に示すように、上述した各種センサの出力信号は、パチンコ機の制御回路３８に入力される。この制御回路３８は、ＲＯＭ（記憶媒体）に記憶された図６に示す球振分装置制御プログラムを実行することで、供給球検出センサ１８でパチンコ球を検出する毎に、球送出用のモータ１９で球送出器１４の回転体１６を回転駆動してパチンコ球を球振分転動部２６に送り出す。これにより、球振分転動部２６に流入したパチンコ球が球振分転動部２６のいずれかの孔２７〜２９に落下して、パチンコ球の流下先が振り分けられる。
【００２３】
ところで、パチンコ機組立時における球振分装置や遊技盤の組付誤差、パチンコホールにおけるパチンコ機の設置状態等によって球振分転動部２６の設置角度が変化すると、球振分転動部２６の球振分特性が変化してしまう。
【００２４】
例えば、図５に示すように、球振分転動部２６の設置角度（例えば水平方向に対する傾斜角度）が設計値（例えば０°）の場合には、パチンコ球が当り孔２７に落下する確率（以下「特定確率」という）が１／３となる。しかし、球振分転動部２６の設置角度が＋１°（球振分転動部２６の当り孔２７側が下方になるよう傾斜し状態）の場合には、パチンコ球が当り孔２７に落下する割合が低くなって特定確率が１／４となり、球振分転動部２６の設置角度が−１°（球振分転動部２６の当り孔２７側が上方になるように傾斜し状態）の場合には、パチンコ球が当り孔２７に落下する割合が高くなって特定確率が１／２となる。
【００２５】
そこで、制御回路３８は、図６に示す球振分装置制御プログラムを実行して、設置角度検出センサ３７で検出した球振分転動部２６の設置角度に基づいて設置角度調整用のモータ３６を制御して可動テーブル２５の傾斜角度を調整することで球振分転動部２６の設置角度を設計値（例えば０°）に修正する。
【００２６】
以下、制御回路３８が実行する図６の球振分装置制御プログラムの処理内容を説明する。図６の球振分装置制御プログラムは、電源オン後に所定周期で実行され、特許請求の範囲でいう設置角度修正制御手段としての役割を果たす。本プログラムが起動されると、まず、ステップ１０１で、所定時間だけ待機した後、ステップ１０２に進み、供給球検出センサ１８がオンか否かによって、球送出器１４の球供給口１５にパチンコ球が待機しているか否かを判定する。
【００２７】
球送出器１４の球供給口１５にパチンコ球が待機していると判定された時点で、ステップ１０３に進み、設置角度検出センサ３７で検出した球振分転動部２６の設置角度が設計値（例えば０°）に一致するように設置角度調整用モータ３６を制御して球振分転動部２６の設置角度を修正する。
【００２８】
この後、ステップ１０４に進み、球送出用のモータ１９を回転させて球送出器１４の回転体１６の回転を開始した後、ステップ１０５に進み、停止位置検出センサ２３がオンか否かによって、回転体１６が停止位置であるか否かを判定する。回転体１６が停止位置であると判定された時点で、ステップ１０６に進み、球送出用のモータ１９を停止して球送出器１４の回転体１６を停止位置で停止させる。これにより、球送出器１４の回転体１６が１回転してパチンコ球が球振分転動部２６に送り出される。
【００２９】
この後、ステップ１０７に進み、所定時間だけ待機した後、ステップ１０８に進み、落下球検出センサ３０〜３２の出力信号に基づいて、３つの落下球検出センサ３０〜３２のうちパチンコ球を検出したセンサを記憶する（つまり３つの孔２７〜２９のうちパチンコ球が落下した孔を記憶する）。
【００３０】
以上説明した本実施例１では、可動テーブル２５に球振分転動部２６を設けて、球振分転動部２６の設置角度を調整できるようにしたので、パチンコ機がパチンコホール等に設置された段階で、組付誤差や設置状態等によって球振分転動部２６の設置角度が設計値に対してずれていても、球振分転動部２６の設置角度を調整して設計値に修正することができる。これにより、組付誤差や設置状態等の影響を受けずに、設計データや試験データ通りの球振分特性でパチンコ球を振り分けることができる。また、球振分転動部２６の設置角度を変更して球振分特性を任意の特性に変更することも可能である。
【００３１】
しかも、本実施例１では、設置角度検出センサ３７で検出した球振分転動部２６の設置角度に基づいて設置角度調整用モータ３６を制御して球振分転動部２６の設置角度を修正するようにしたので、球振分転動部２６の設置角度を自動的に修正することができる。
【００３２】
尚、球振分転動部２６の設置角度によって、特定確率（球振分転動部２６に流入したパチンコ球が当り孔２７に落下する確率）が変化するため、特定確率は、球振分転動部２６の設置角度の代用情報となる。この点に着目して、落下球検出センサ３０〜３２の出力信号の過去の所定回数分のデータに基づいて特定確率を検出し、その検出した特定確率に基づいて設置角度調整用モータ３６を制御して球振分転動部２６の設置角度を修正するようにしても良い。
【００３３】
このようにすれば、球振分転動部２６の設置角度を自動的に修正することができると共に、設置角度検出センサ３７を省略して低コスト化することができる。この場合、落下球検出センサ３０〜３２が特許請求の範囲でいう特定確率検出手段としての役割を果たす。
【００３４】
また、上記実施例１では、可動テーブル２５の傾斜角度を調整して球振分転動部２６の設置角度を調整する構成としたが、球振分装置全体の傾斜角度を調整して球振分転動部２６の設置角度を調整する構成としても良い等、球振分転動部２６の設置角度を調整する構成は適宜変更しても良い。
【００３５】
また、上記実施例１では、球振分転動部２６の一方向（例えば前後方向）の設置角度を調整する構成としたが、球振分転動部２６の複数方向（例えば前後方向と左右方向）の設置角度を調整する構成としても良い。更に、球振分転動部２６の設置角度を手動で調整する構成としても良い。また、電源オン後に、球振分転動部２６の設置角度を修正しても良く、勿論、電源オフ後に、球振分転動部２６の設置角度を修正しても良い。
【実施例２】
【００３６】
次に、図７を用いて本発明の実施例２を説明する。
球振分転動部２６に流入させるパチンコ球の流れ状態（速度、流れ方向等）を調整すれば、球振分転動部２６内でのパチンコ球の流れ具合が変化するため、特定確率（球振分転動部２６に流入したパチンコ球が当り孔２７に落下する確率）を調整することができる。
【００３７】
そこで、本実施例２では、図７に示す球振分装置制御プログラムを実行して、落下球検出センサ３０〜３２で検出した特定確率に基づいて球送出用のモータ１９を制御して球送出器１４の回転体１６の回転速度を調整することで球振分転動部２６に流入させるパチンコ球の速度を調整して特定確率を目標値（例えば１／３）に修正するようにしている。この場合、球送出器１４が特許請求の範囲でいう特定確率調整手段としての役割を果たし、図７に示す球振分装置制御プログラムが特許請求の範囲でいう特定確率修正制御手段としての役割を果たす。
【００３８】
図７の球振分装置制御プログラムは、まず、ステップ２０１で、所定時間だけ待機した後、ステップ２０２に進み、供給球検出センサ１８がオンか否かによって、球送出器１４の球供給口１５にパチンコ球が待機しているか否かを判定する。
【００３９】
球送出器１４の球供給口１５にパチンコ球が待機していると判定された時点で、ステップ２０３に進み、前回検出した特定確率に応じて球送出用のモータ１９の駆動力を設定し、その駆動力で球送出用のモータ１９を回転させて球送出器１４の回転体１６の回転を開始する。この場合、前回検出した特定確率に応じて球送出用のモータ１９の駆動力を調整して回転体１６の回転速度を調整することで、特定確率が目標値（例えば１／３）に近付くように球振分転動部２６に流入させるパチンコ球の速度を調整する。
【００４０】
この後、ステップ２０４に進み、停止位置検出センサ２３がオンか否かによって、回転体１６が停止位置であるか否かを判定し、回転体１６が停止位置であると判定された時点で、ステップ２０５に進み、球送出用のモータ１９を停止して球送出器１４の回転体１６を停止位置で停止させる。これにより、球送出器１４の回転体１６が１回転してパチンコ球が球振分転動部２６に送り出される。
【００４１】
この後、ステップ２０６に進み、所定時間だけ待機した後、ステップ２０７に進み、３つの落下球検出センサ３０〜３２のうちパチンコ球を検出したセンサを記憶する。この後、ステップ２０８に進み、落下球検出センサ３０〜３２の出力信号の過去の所定回数分のデータに基づいて特定確率を算出して記憶する。
【００４２】
以上説明した本実施例２では、球振分転動部２６に流入させるパチンコ球の流れ状態を調整することで特定確率（球振分転動部２６に流入したパチンコ球が当り孔２７に落下する確率）を調整するようにしたので、組付誤差や設置状態等の影響を受けて特定確率が目標値に対してずれていても、特定確率を調整して目標値に修正することができ、組付誤差や設置状態等の影響を受けずに、特定確率を設計データや試験データ通りの確率にすることができる。また、特定確率を任意の確率に変更することもできる。
【００４３】
しかも、本実施例２では、落下球検出センサ３０〜３２で検出した特定確率に基づいて球送出用のモータ１９を制御して球振分転動部２６に流入させるパチンコ球の速度を調整して特定確率を修正するようにしたので、特定確率を自動的に修正することができる。
【００４４】
尚、球振分転動部２６の設置角度が特定確率の代用情報となる点に着目して、設置角度検出センサ３７で検出した球振分転動部２６の設置角度に基づいて球送出用のモータ１９を制御して球振分転動部２６に流入させるパチンコ球の速度を調整して特定確率を修正するようにしても良い。このようにすれば、特定確率を検出できない場合でも、特定確率を自動的に修正することができる。
【００４５】
また、上記実施例２では、球振分転動部２６に流入させるパチンコ球の速度を調整して特定確率を調整する構成としたが、球振分転動部２６に流入させるパチンコ球の流れ方向や流れ位置を調整して特定確率を調整する構成としても良い等、特定確率を調整する構成は適宜変更しても良い。更に、球振分転動部２６に流入させるパチンコ球の流れ状態（速度、流れ方向、流れ位置等）を手動で調整する構成とする等、特定確率を手動で調整する構成としても良い。
【００４６】
また、上記各実施例１，２では、本発明を球振分装置に適用したが、本発明を球振分流路を備えた入賞装置に適用して、入賞装置の球振分流路の設置角度や入賞確率（入賞口に入賞する確率）を調整する構成にすることで、入賞確率を目標値に修正したり、入賞確率を任意の確率に変更するようにしても良い。
【００４７】
また、設置角度調整手段や特定確率調整手段の設置箇所は、球振分装置内や入賞装置内に限定されず、球振分装置や入賞装置以外の遊技機内の適宜箇所に設置角度調整手段や特定確率調整手段を設置しても良い。
【００４８】
また、本発明の適用範囲は、一般のパチンコ機に限定されず、アレンジ式のパチンコ機やパチンコ球を使用してスロットルゲームを行う遊技機等、種々の遊技機に本発明を適用しても良い。
【図面の簡単な説明】
【００４９】
【図１】本発明の実施例１における球振分装置の横断面図である。
【図２】球振分装置の縦断正面図である。
【図３】球振分装置の縦断側面図である。
【図４】球振分装置の電気的構成を示すブロック図である。
【図５】球振分流路の設置角度と特定確率との関係の一例を示す図である。
【図６】実施例１の球振分装置制御プログラムの処理の流れを示すフローチャートである。
【図７】実施例２の球振分装置制御プログラムの処理の流れを示すフローチャートである。
【符号の説明】
【００５０】
１１…本体ケース、１４…球送出器（特定確率調整手段）、１６…回転体、１９…モータ（アクチュエータ）、２５…可動テーブル（設置角度調整手段）、２６…球振分転動部（球振分流路）、２７…当り孔、２８，２９…外れ孔、３０〜３２…落下球検出センサ（特定確率検出手段）、３３…ギヤ機構（設置角度調整手段）、３６…モータ（設置角度調整手段，アクチュエータ）、３７…設置角度検出センサ（設置角度検出手段）、３８…制御回路（設置角度修正制御手段，特定確率修正制御手段）
【図１】
2005296548.tif 000003
【図２】
2005296548.tif 000004
【図３】
2005296548.tif 000005
【図４】
2005296548.tif 000006
【図５】
2005296548.tif 000007
【図６】
2005296548.tif 000008
【図７】
2005296548.tif 000009